(57)【要約】【課題】互いに連結する複数の携帯端末向けのウェブページの検索をより好適に行うことができる検索制御装置及びインデックス作成方法を提供すること。【解決手段】携帯端末向けのウェブページのインデックスを作成する検索制御装置２０は、携帯端末向けのウェブページを取得するウェブページ取得部２１と、ウェブページ取得部２１により取得されたウェブページに連結する他のウェブページへのリンクを示すタグに基づいてウェブページに連結する他のウェブページを順次抽出するウェブページ抽出部２２と、ウェブページ抽出部２２により抽出された互いに連結する複数のウェブページを一の連結ウェブページとして、インデックスを作成するインデックス作成部２３とを備える。【選択図】図３
2010128889.tif 000002
【特許請求の範囲】
【請求項１】
携帯端末向けのウェブページのインデックスを作成する検索制御装置であって、
前記携帯端末向けのウェブページを取得するウェブページ取得手段と、
前記ウェブページ取得手段により取得したウェブページに連結する他のウェブページへのリンクを示すタグに基づいて、前記ウェブページに連結するウェブページを順次抽出するウェブページ抽出手段と、
前記ウェブページ抽出手段により抽出した互いに連結する複数のウェブページを一の連結ウェブページとして、インデックスを作成するインデックス作成手段とを備える検索制御装置。
【請求項２】
前記インデックス作成手段により作成した前記インデックスの各々に対応するキーワードを含むウェブページを識別するデータを、それぞれ前記インデックスに対応付けて記憶する記憶手段をさらに備える請求項１に記載の検索制御装置。
【請求項３】
携帯端末向けのウェブページのインデックスを作成するインデックス作成方法であって、
前記携帯端末向けのウェブページを取得するウェブページ取得ステップと、
前記ウェブページ取得ステップにより取得したウェブページに連結する他のウェブページへのリンクを示すタグに基づいて前記ウェブページに連結するウェブページを順次抽出するウェブページ抽出ステップと、
前記ウェブページ抽出ステップにより抽出した互いに連結する複数のウェブページを一の連結ウェブページとして、インデックスを作成するインデックス作成ステップとを備えるインデックス作成方法。
【発明の詳細な説明】
【技術分野】
【０００１】
本発明は、携帯端末向けのウェブページのインデックスを作成する検索制御装置及びインデックス作成方法に関する。
【背景技術】
【０００２】
近年、携帯端末の普及に伴い、一般的なパーソナルコンピュータ等の端末向けのウェブサイトとは異なる携帯端末向けのウェブサイトを提供するサービスが普及している。
【０００３】
このような携帯端末向けのウェブサイトは、パーソナルコンピュータ等の端末向けのウェブサイトと比較して、通信時間の短縮化、操作性の向上、表示装置の画面の大きさ等の携帯端末固有の制約から、ウェブページの内容を分割して表示しているものがある。例えばパーソナルコンピュータ等の端末向けのウェブページでは、１つのウェブページに記載される内容を、複数のウェブページに分割して表示している携帯端末向けのウェブページがある。
【０００４】
このように携帯端末向けに作成されたウェブページを検索するための技術としては、例えば特許文献１が挙げられる。
【特許文献１】特開２００６−４８１４１号公報
【発明の開示】
【発明が解決しようとする課題】
【０００５】
しかしながら、携帯端末向けのウェブサイトのコンテンツを検索エンジンのクローラ等が収集する場合、分割された複数のウェブページを関連性の無い別々のウェブページとして判別してしまい、このような関連性を検索結果に反映できないという問題があった。
【０００６】
そこで、本発明は、互いに連結する複数の携帯端末向けのウェブページの検索をより好適に行うことができる検索制御装置及びインデックス作成方法を提供することを目的とする。
【課題を解決するための手段】
【０００７】
本発明では、以下のような解決手段を提供する。
【０００８】
（１）携帯端末向けのウェブページのインデックスを作成する検索制御装置であって、前記携帯端末向けのウェブページを取得するウェブページ取得手段と、前記ウェブページ取得手段により取得したウェブページに連結する他のウェブページへのリンクを示すタグに基づいて、前記ウェブページに連結するウェブページを順次抽出するウェブページ抽出手段と、前記ウェブページ抽出手段により抽出した互いに連結する複数のウェブページを一の連結ウェブページとして、インデックスを作成するインデックス作成手段とを備える検索制御装置。
【０００９】
（１）の構成によれば、検索制御装置は、携帯端末向けのウェブページを取得し、取得したウェブページに連結する他のウェブページへのリンクを示すタグに基づいて、取得したウェブページに連結するウェブページを順次抽出する。そして、抽出した互いに連結する複数のウェブページを一のウェブページ（連結ウェブページ）として取り扱って、インデックスを作成する。
【００１０】
このことにより、携帯端末向けのウェブページを検索する際、互いに連結する複数のウェブページが構成する一のウェブページ（連結ウェブページ）に対して作成したインデックスに基づく検索を行うことが可能となる。
【００１１】
したがって、このインデックスを検索の際に参照することにより、様々な理由や制約によって分断された携帯端末向けのウェブページにそれぞれ付けられた、精度の悪いインデックスではなく、これらを本来の一のまとまりのある文書として連結して構成した連結ウェブページに対して作成した精度の良いインデックスに基づいて行った検索結果を提供することができる。
【００１２】
（２）前記インデックス作成手段により作成した前記インデックスの各々に対応するキーワードを含むウェブページを識別するデータを、それぞれ前記インデックスに対応付けて記憶する記憶手段をさらに備える（１）に記載の検索制御装置。
【００１３】
（２）の構成によれば、検索制御装置は、作成したインデックスの各々に対応するキーワードを含むウェブページを識別するデータを、それぞれインデックスに対応付けて記憶する。
【００１４】
このように、一旦連結ウェブページごとに作成したインデックスの各々が検索された際に、検索結果として表示すべき連結前のウェブページを、識別するデータに基づいて抽出して表示することができる。
【００１５】
このように、検索の際には、連結ウェブページに付けたインデックスを用いることにより検索の精度を保ちつつ、検索結果の表示の際には、連結ウェブページをスクロールすることなく、その検索されたキーワードを含む連結前のウェブページをダイレクトに表示することができる。
【００１６】
（３）携帯端末向けのウェブページのインデックスを作成するインデックス作成方法であって、前記携帯端末向けのウェブページを取得するウェブページ取得ステップと、前記ウェブページ取得ステップにより取得したウェブページに連結する他のウェブページへのリンクを示すタグに基づいて前記ウェブページに連結するウェブページを順次抽出するウェブページ抽出ステップと、前記ウェブページ抽出ステップにより抽出した互いに連結する複数のウェブページを一の連結ウェブページとして、インデックスを作成するインデックス作成ステップとを備えるインデックス作成方法。
【００１７】
（３）の構成によれば、（１）の検索制御装置と同様な作用効果を奏する発明を方法として提供可能である。
【発明の効果】
【００１８】
本発明に係る検索制御装置によれば、携帯端末向けのウェブページを取得し、取得したウェブページに連結する他のウェブページへのリンクを示すタグに基づいて、取得したウェブページに連結するウェブページを順次抽出し、抽出した互いに連結する複数のウェブページを一のウェブページ（連結ウェブページ）として取り扱って、インデックスを作成することができる。その結果、携帯端末向けのウェブページを検索する際、互いに連結する複数のウェブページが構成する一のウェブページ（連結ウェブページ）に対して作成したインデックスに基づく検索を行うことが可能となる。
【発明を実施するための最良の形態】
【００１９】
以下、本発明の実施形態について図面を参照しながら説明する。
【００２０】
［全体構成］
図１は、本発明の一実施形態に係る検索システム１を含む構成の概略を示す図である。検索システム１、携帯端末３、及び外部サーバ４は、ネットワーク２を介して通信可能に接続されている。携帯端末３のユーザは、検索システム１にアクセスし、検索エンジンに対して、所望のＷｅｂ文書に辿り着くためのクエリ（検索キーワード）を入力することにより、検索結果を取得する。ユーザは、この検索結果にリストされたＵＲＬを選択し、外部サーバ４にて管理されるＷｅｂページを閲覧する。
【００２１】
携帯端末３は、携帯電話機、ＰＨＳ（Ｐｅｒｓｏｎａｌ  Ｈａｎｄｙ−ｐｈｏｎｅ  Ｓｙｓｔｅｍ：登録商標）、モバイル、ＰＤＡ（Ｐｅｒｓｏｎａｌ  Ｄｉｇｉｔａｌ  Ａｓｓｉｓｔａｎｔ）等のユーザが携帯可能な携帯端末を代表とするものであり、有線又は無線通信を行うネットワーク２を介して、検索システム１から送信される情報を参照できるものであればどのようなものでもよい。また、検索システム１は、必要に応じてＷｅｂサーバ、ＤＢサーバ、アプリケーションサーバを含んで構成してよく、１台のサーバで構成しても、それぞれ別のサーバで構成してもよい。また、検索システム１は、検索制御装置２０を含んで構成される。
【００２２】
［検索制御装置２０のハードウェア構成］
図２は、本実施形態の検索制御装置２０のハードウェア構成を示す図である。図２に示すように、制御部２００を構成するＣＰＵ（Ｃｅｎｔｒａｌ  Ｐｒｏｃｅｓｓｉｎｇ  Ｕｎｉｔ）２１０（マルチプロセッサ構成ではＣＰＵ２２０等複数のＣＰＵが追加されてもよい）、バスライン１００、通信Ｉ／Ｆ（Ｉ／Ｆ：インタフェース）２３０、メインメモリ２４０、ＢＩＯＳ（Ｂａｓｉｃ  Ｉｎｐｕｔ  Ｏｕｔｐｕｔ  Ｓｙｓｔｅｍ）２５０、Ｉ／Ｏコントローラ２６０、ハードディスク２７０、光ディスクドライブ２８０、並びに半導体メモリ２９０を備える。なお、ハードディスク２７０、光ディスクドライブ２８０、並びに、半導体メモリ２９０はまとめて記憶装置３１０と呼ばれる。
【００２３】
制御部２００は、検索制御装置２０を統括的に制御する部分であり、ハードディスク２７０に記憶された各種プログラムを適宜読み出して実行することにより、上述したハードウェアと協働し、本発明に係る各種機能を実現している。
【００２４】
通信Ｉ／Ｆ２３０は、検索制御装置２０が、ネットワーク２を介して携帯端末３等の他の装置と情報を送受信する場合のネットワーク・アダプタである。
【００２５】
ＢＩＯＳ２５０は、検索制御装置２０の起動時にＣＰＵ２１０が実行するブートプログラムや、検索制御装置２０のハードウェアに依存するプログラム等を記録する。
【００２６】
Ｉ／Ｏコントローラ２６０には、ハードディスク２７０、光ディスクドライブ２８０、及び半導体メモリ２９０等の記憶装置３１０を接続することができる。
【００２７】
ハードディスク２７０は、本ハードウェアを検索制御装置２０として機能させるための各種プログラム、本発明の機能を実行するプログラム及び後述するデータベース等を記憶する。なお、検索制御装置２０は、外部に別途設けたハードディスク（図示せず）を外部記憶装置として利用することもできる。
【００２８】
光ディスクドライブ２８０としては、例えば、ＤＶＤ−ＲＯＭドライブ、ＣＤ−ＲＯＭドライブ、ＤＶＤ−ＲＡＭドライブ、ＣＤ−ＲＡＭドライブを使用することができる。この場合は各ドライブに対応した光ディスク３００を使用する。光ディスク３００から光ディスクドライブ２８０によりプログラム又はデータを読み取り、Ｉ／Ｏコントローラ２６０を介してメインメモリ２４０又はハードディスク２７０に提供することもできる。
【００２９】
なお、本発明でいうコンピュータとは、記憶装置、制御部等を備えた情報処理装置をいい、検索制御装置２０は、記憶装置３１０、制御部２００等を備えた情報処理装置により構成される。
【００３０】
以上の例は、検索制御装置２０について主に説明したが、コンピュータに、プログラムをインストールして、そのコンピュータをサーバ装置として動作させることにより上記で説明した機能を実現することもできる。したがって、本発明において一実施形態として説明した検索制御装置２０により実現される機能は、上述の方法を当該コンピュータにより実行することにより、或いは、上述のプログラムを当該コンピュータに導入して実行することによっても実現可能である。
【００３１】
［検索システム１の機能構成］
図３は、本実施形態の検索システム１の機能構成を示す機能ブロック図である。検索システム１は、検索制御装置２０と、フロントエンド部３１と、を備える。
【００３２】
なお、本実施形態の検索システム１では、フロントエンド部３１を検索制御装置２０とは、別の装置により構成されることとしたがこれに限らず、検索制御装置２０は、フロントエンド部３１を含んで構成されていてもよい。
【００３３】
検索制御装置２０は、ウェブページ取得部２１と、ウェブページ抽出部２２と、インデックス作成部２３と、検索処理部２４と、インデックスデータベース（以下、データベースをＤＢと称する）２５と、を備える。
【００３４】
制御部２００は、機能部として、ウェブページ取得部２１と、ウェブページ抽出部２２と、インデックス作成部２３と、検索処理部２４とを有する。また、インデックスＤＢ２５は、記憶装置３１０に記憶される。
【００３５】
ウェブページ取得部２１は、携帯端末３向けのウェブページを取得する。具体的には、ウェブページ取得部２１は、クローラの機能を有しており、ネットワーク２を介して、外部サーバ４に記憶したウェブページ等の文書情報を収集する。なお、クローラとは一般的に検索ロボットともいわれ、ウェブページ等を収集するプログラムである。そして、クローラが、ウェブサイトを探し出す手段や、対象とするウェブページの種類は様々であり、クローラの管理者の設定により、収集されるウェブページの種類や分野も異なる。そして、本実施形態のウェブページ取得部２１は、携帯端末３向けのウェブページを収集する。
【００３６】
ウェブページ抽出部２２は、ウェブページ取得部２１により取得されたウェブページに連結する他のウェブページへのリンクを示すタグに基づいて、取得されたウェブページに連結するウェブページを順次抽出する。具体的には、ウェブページ抽出部２２は、以下の処理を行うことができる。
【００３７】
ウェブページ抽出部２２は、ウェブページ取得部２１により取得されたウェブページの中から、任意のウェブページの全文テキストを、例えば形態素解析方式や分かち書き方式等により分割する。
【００３８】
ウェブページ抽出部２２は、分割した任意のウェブページの全文テキスト中に同一のタームが所定数以上含まれるか否かを判定する。
【００３９】
同一のタームが所定数以上含まれる場合、ウェブページ抽出部２２は、同一のタームが所定数以上含まれるウェブページが所定の抽出条件を満たすか否かを判定する。ここで、ウェブページ抽出部２２は、任意のウェブページに連結する他のウェブページへのリンクを示すタグに基づいて、所定の抽出条件を予め設定することができる。
【００４０】
ここで、図４を参照しながら互いに連結する複数のウェブページの具体例について説明する。
【００４１】
図４は、互いに連結する複数のウェブページの具体例として、各々のウェブページがリンクされている場合を示す模式図である。図４に示すように、ウェブページ取得部２１により取得されたウェブページ群Ｐには、互いに連結する複数のウェブページが含まれている。具体的には、ウェブページ群Ｐには、アンカータグによりリンク（連結）されたウェブページであるウェブページＡＡＡ−１〜ＡＡＡ−３、ＢＢＢ−１〜ＢＢＢ−２、ＣＣＣ−１〜ＣＣＣ−３が含まれている。
【００４２】
例えば、ウェブページＡＡＡ−１、ＡＡＡ−２、及びＡＡＡ−３は、継続した内容の文書であり、携帯端末３の限られた表示範囲の表示装置に表示するために、３つのウェブページに分割されている。
【００４３】
ウェブページＡＡＡ−１には、「＞続き」と表記されるアンカータグ４１が含まれる。そして、アンカータグ４１には、ウェブページＡＡＡ−２のＵＲＬへのリンクが設定されている。このため、ウェブページＡＡＡ−１とウェブページＡＡＡ−２とは、アンカータグ４１によりリンクされている。また、ウェブページＡＡＡ−２には、「＞続き」と表記されるアンカータグ４２が含まれる。そして、アンカータグ４２には、ウェブページＡＡＡ−３のＵＲＬへのリンクが設定されている。このため、ウェブページＡＡＡ−２とウェブページＡＡＡ−３とは、アンカータグ４２によりリンクされている。
【００４４】
これらのウェブページＡＡＡ−１、ＡＡＡ−２、及びＡＡＡ−３は、携帯端末３に表示される際に、まずウェブページＡＡＡ−１が表示され、アンカータグ４１がクリックされることによりウェブページＡＡＡ−２へリンクし、ウェブページＡＡＡ−２が表示される。そして、アンカータグ４２がクリックされることによりウェブページＡＡＡ−３へリンクし、ウェブページＡＡＡ−３が表示される。
【００４５】
同様にして、ウェブページＢＢＢ−１とウェブページＢＢＢ−２とは、アンカータグ５１によりリンクされ、ウェブページＣＣＣ−１とウェブページＣＣＣ−２とは、アンカータグ６１によりリンクされ、ウェブページＣＣＣ−２とウェブページＣＣＣ−３とは、アンカータグ６２によりリンクされている。
【００４６】
ウェブページ抽出部２２は、上述のような、本来連結して一つのウェブページとして認識すべき複数のウェブページを、アンカータグに基づいて逐次抽出することが好ましい。
【００４７】
インデックス作成部２３は、ウェブページ抽出部２２により抽出された互いに連結する複数のウェブページを一の連結ウェブページとして、インデックスを作成する。
【００４８】
また、インデックス作成部２３は、ウェブページ抽出部２２により抽出された互いに連結する複数のウェブページを一の連結ウェブページとして識別する識別情報であるインデックス用ページＩＤを作成する。
【００４９】
そして、インデックス作成部２３は、作成したインデックス及びインデックス用ページＩＤを対応付けさせてインデックスＤＢ２５に記憶させる。
【００５０】
図５は、インデックスＤＢ２５に記憶されるインデックス及びインデックス用ページＩＤの一例を示す図である。図５に示すように、インデックスＤＢ２５には、インデックス用ページＩＤと、ページＩＤと、インデックスと、互いに連結する複数のウェブページのＵＲＬとが対応付けさせて記憶される。なお、インデックスＤＢ２５に記憶される情報は、これらの情報に限らず、例えばインデックスが作成され、記憶された日時や、インデックスの属するカテゴリ等が記憶されていてもよい。
【００５１】
また、インデックス作成部２３は、作成したインデックスの各々に対応するキーワードを含むウェブページを識別するデータ、すなわちページＩＤを、それぞれのインデックスに対応付けさせてインデックスＤＢ２５に記憶させてもよい。
【００５２】
図６は、インデックスＤＢ２５に記憶されるインデックス及びページＩＤの他の構成例を示す図である。図６に示すように、インデックスＤＢ２５には、インデックス用ページＩＤと、ページＩＤと、ページＩＤに対応するインデックスと、互いに連結する複数のウェブページのＵＲＬとが対応付けさせて記憶される。
【００５３】
検索処理部２４は、フロントエンド部３１から受け付けたクエリに応じたインデックスをインデックスＤＢ２５から検索する。そして、検索処理部２４は、受け付けたクエリに応じたインデックスがインデックスＤＢ２５に存在する場合には、このインデックスに対応付けられたページＩＤに対応するＵＲＬを取得し、検索結果として、フロントエンド部３１に提示する。
【００５４】
フロントエンド部３１は、携帯端末３からのクエリの入力を受け付け、検索処理部２４に提示する。また、フロントエンド部３１は、検索処理部２４からクエリに対する検索結果を受け付け、携帯端末３へネットワーク２を介して提示する。また、フロントエンド部３１は、絞り込み検索等の検索オプションの設定を携帯端末３から受け付け、検索処理部２４からの検索結果に対して検索オプションに設定された条件を満たす検索結果のみを携帯端末３へ提示するように構成してもよい。
【００５５】
このように本実施形態の検索制御装置２０によれば、携帯端末３向けのウェブページを取得し、取得したウェブページに連結する他のウェブページへのリンクを示すタグに基づいて、取得したウェブページに連結するウェブページを順次抽出する。そして、抽出した互いに連結する複数のウェブページを位置の連結ウェブページとして、インデックスを作成する。
【００５６】
このことにより、携帯端末向けのウェブページを検索する際、互いに連結する複数のウェブページが構成する一のウェブページ（連結ウェブページ）に対して作成したインデックスに基づく検索を行うことが可能となる。
【００５７】
したがって、このインデックスを検索の際に参照することにより、様々な理由や制約によって分断された携帯端末向けのウェブページにそれぞれ付けられた、精度の悪いインデックスではなく、これらを本来の一のまとまりのある文書として連結して構成した連結ウェブページに対して作成した精度の良いインデックスに基づいて行った検索結果を提供することができる。
【００５８】
また、本実施形態の検索制御装置２０によれば、作成したインデックスの各々に対応するキーワードを含むウェブページを識別するデータを、それぞれインデックスに対応付けてインデックスＤＢ２５に記憶させる。
【００５９】
このように、一旦連結ウェブページごとに作成したインデックスの各々が検索された際に、検索結果として表示すべき連結前のウェブページを、識別するデータに基づいて抽出して表示することができる。
【００６０】
そして、検索の際には、連結ウェブページに付けたインデックスを用いることにより検索の精度を保ちつつ、検索結果の表示の際には、連結ウェブページをスクロールすることなく、その検索されたキーワードを含む連結前のウェブページをダイレクトに表示することができる。
【００６１】
また、本実施形態の検索制御装置２０は、取得したウェブページから互いに連結する複数のウェブページを抽出するための抽出条件として、取得された各々のウェブページが互いにリンクされていること、取得された各々のウェブページが共通のディレクトリ内に格納されていること、取得された各々のウェブページが共通のホスト名を有していること等を用いる。
【００６２】
このため、本実施形態の検索制御装置２０は、様々な互いに連結する複数の携帯端末３向けのウェブページ中から所望するウェブページを抽出することができる。
【００６３】
［処理の流れ］
次に、本実施形態の検索制御装置２０の処理の流れについて図７のフローチャートを参照しながら説明する。
【００６４】
ステップＳ１において、ウェブページ取得部２１は、外部サーバ４から携帯端末３向けのウェブページを取得する。
【００６５】
ステップＳ２において、ウェブページ抽出部２２は、ステップＳ１において取得されたウェブページに連結するウェブページを逐次抽出する。
【００６６】
ステップＳ３において、インデックス作成部２３は、ステップＳ２においてウェブページ抽出部２２により抽出された互いに連結する複数のウェブページを一の連結ウェブページとし、例えば、この一の連結ウェブページ全文中に一定数以上含まれるタームを用いてインデックスを作成する。なお、インデックスの作成手法はこれに限られず、公知の様々なものを用いることができる。
【００６７】
ステップＳ４において、インデックス作成部２３は、連結ウェブページを識別する識別情報であるインデックス用ページＩＤを作成する。
【００６８】
ステップＳ５において、インデックス作成部２３は、ステップＳ３において作成したインデックス及びステップＳ４において作成されたインデックス用ページＩＤを対応付けさせてインデックスＤＢ２５に記憶させる。
【００６９】
ステップＳ６において、インデックス作成部は、ステップＳ２〜ステップＳ５の処理がステップＳ１において取得した全てのウェブページで実行されたか否か判定する。この判定がＹｅｓの場合には、一連の処理を終了する。一方、この判定がＮｏの場合には、ステップＳ２へ移る。
【００７０】
［適用例］
次に、本実施形態の検索制御装置２０を適用した具体例について、図８及び図９を参照しながら説明する。図８は、携帯端末３向けのウェブページを示す図である。図８に示すように、ウェブページ８１及び８２は、互いに連結する複数のウェブページの一例であり、１つの文書が２つのウェブページに分割されている。
【００７１】
このような場合、従来は、ウェブページ８１に「とんこつラーメン」が記述され、ウェブページ８２に「赤坂」が記述されているため、ウェブページ８１とウェブページ８２とを別々のウェブページとしてインデックスを作成してしまう。したがって、例えば携帯端末３からクエリ「とんこつラーメン  赤坂」を受け付けてもウェブページ８１及び８２の両方を検索結果に含むことができない可能性があった。
【００７２】
本実施形態の検索制御装置２０によれば、ウェブページ８１のアンカータグ８３及びウェブページ８２のアンカータグ８４に基づいて、ウェブページ８１及び８２を互いに連結する複数のウェブページとして抽出し、抽出したウェブページ８１及び８２を一の連結ウェブページとして「とんこつラーメン」及び「赤坂」を含むインデックスを作成する。
【００７３】
したがって、携帯端末３からのクエリ「とんこつラーメン  赤坂」に応じて、インデックス「とんこつラーメン」及び「赤坂」に対応するウェブページ８１及び８２の両方を確実に検索結果に含むことができる。
【００７４】
図９は、本実施形態に係る検索システム１において、クエリ「とんこつラーメン  赤坂」に対しての検索結果の一例について示す図である。図９に示すように、検索結果画面８６には、検索結果８７及び検索結果８８が表示される。そして、検索結果８７からは、図８のウェブページ８１へ直接リンクし、検索結果８８からは、図８のウェブページ８２へ直接リンクする。
【００７５】
本実施形態の検索制御装置２０によれば、インデックス作成部２３により作成されたインデックスの各々に対応するキーワードを含むウェブページを識別するページＩＤを、それぞれインデックスに対応付けてインデックスＤＢ２５に記憶させる。
【００７６】
このため、一旦連結ウェブページ８１及び８２ごとに作成したインデックスの各々が検索された際に、検索結果として表示すべき連結前のウェブページ８１及び８２を、ページＩＤに基づいて抽出して表示することができる。
【００７７】
すなわち、検索の際には、連結ウェブページ８１及び８２に付けたインデックスを用いることにより検索の精度を保ちつつ、検索結果の表示の際には、図９に示すように、連結ウェブページ８１及び８２をスクロールすることなく、検索されたキーワード（「とんこつラーメン  赤坂」）を含む連結前のウェブページ８１及び８２をダイレクトに表示することができる。
【００７８】
以上、本発明の好適な実施形態について説明したが、本発明は上述した実施形態に限定されることなく種々の形態で実施することができる。
【００７９】
また、本発明の実施形態に記載された効果は、本発明から生じる最も好適な効果を列挙したに過ぎず、本発明による効果は、本発明の実施形態に記載されたものに限定されるものではない。
【図面の簡単な説明】
【００８０】
【図１】本発明の一実施形態に係る検索システム１を含む構成の概略を示す図である。
【図２】本実施形態の検索制御装置２０のハードウェア構成を示す図である。
【図３】本実施形態の検索システム１の機能構成を示す機能ブロック図である。
【図４】互いに連結する複数のウェブページの具体例を示す模式図である。
【図５】インデックスＤＢ２５に記憶されるインデックス及びインデックス用ページＩＤの一例を示す図である。
【図６】インデックスＤＢ２５に記憶されるインデックス及びページＩＤの一例を示す図である。
【図７】本実施形態の検索制御装置２０の処理の流れについて示すフローチャートである。
【図８】携帯端末３向けのウェブページを示す図である。
【図９】本実施形態に係る検索システム１による検索結果について示す図である。
【符号の説明】
【００８１】
１  検索システム
２  ネットワーク
３  携帯端末
４  外部サーバ
２０  検索制御装置
２１  ウェブページ取得部
２２  ウェブページ抽出部
２３  インデックス作成部
２４  検索処理部
２５  インデックスＤＢ
３１  フロントエンド部
【図１】
2010128889.tif 000003
【図２】
2010128889.tif 000004
【図３】
2010128889.tif 000005
【図４】
2010128889.tif 000006
【図５】
2010128889.tif 000007
【図６】
2010128889.tif 000008
【図７】
2010128889.tif 000009
【図８】
2010128889.tif 000010
【図９】
2010128889.tif 000011